(57)【要約】【課題】投票用紙の分類中における投票用紙の搬送を停止する頻度を低減することにより、投票用紙の分類速度の向上を図る投票用紙分類装置を提供する。【解決手段】投票用紙を分類する投票用紙分類装置１は、分類された投票用紙を収納する複数のスタッカ１０１〜１２１と、スタッカ１０１〜１２１に投票用紙を分類して搬送する第一搬送装置４ａ及び第二搬送装置４ｂと、スタッカ１０１〜１２１に設けられ、スタッカ１０１〜１２１に収納されている投票用紙の数量に関する情報を表示する表示ランプ２０１とを備えている。表示ランプ２０１は、スタッカ１０１〜１２１に収納されている投票用紙の数量が、スタッカ１０１〜１２１に収納可能な投票用紙の数量の上限である第一所定収納数量であることを示す赤色光点滅と、第一所定収納数量より少なく設定された第二所定収納数量以上であることを示す橙色光点滅とを表示可能である。【選択図】図１
2012008956.tif 000002
【特許請求の範囲】
【請求項１】
投票用紙を分類する投票用紙分類装置であって、
分類された投票用紙を収納する複数の収納部と、
前記収納部に投票用紙を分類して搬送する搬送手段と、
前記収納部に設けられ、前記収納部に収納されている投票用紙の数量に関する情報を表示する表示部とを備え、
前記表示部は、前記収納部に収納されている投票用紙の数量が、前記収納部に収納可能な投票用紙の数量の上限である第一所定収納数量であることを示す第一表示と、前記第一所定収納数量より少なく設定された第二所定収納数量以上であることを示す第二表示とを表示可能である投票用紙分類装置。
【請求項２】
前記表示部が前記第一表示を表示すると、前記搬送手段を停止させる請求項１に記載の投票用紙分類装置。
【請求項３】
前記収納部の投票用紙を検知する検知手段を備え、
前記表示部が前記第一表示を表示することにより前記搬送手段が停止したとき、前記検知手段が、前記第一表示が表示された前記収納部に投票用紙がないことを検知すると、前記搬送手段の搬送を再開する請求項１または２に記載の投票用紙分類装置。
【請求項４】
前記表示部が前記第一表示を表示することにより前記搬送手段が停止したとき、前記検知手段が、前記第一表示が表示された前記収納部に投票用紙がないことを検知することに加え、前記第二表示が表示された前記収納部に投票用紙がないことを検知すると、前記搬送手段の搬送を再開する請求項３に記載の投票用紙分類装置。
【発明の詳細な説明】
【技術分野】
【０００１】
この発明は、投票用紙分類装置に関する。
【背景技術】
【０００２】
投票用紙の種別を識別して分類する従来の投票用紙分類装置として、例えば特許文献１に、複数枚の投票用紙を複数のスタッカ（収納部）に分類集積する投票用紙集計装置が記載されている。この投票用紙集計装置では、前面のホッパ部に複数枚の投票用紙が投入載置され、ホッパ部に投入載置された投票用紙は繰出部によって一枚ずつ繰り出された後、搬送部によって一枚ずつスタッカのそれぞれに搬送できるようになっている。さらに、搬送部には透過センサ部が設けられており、投票用紙集計装置は、透過センサ部が撮像した画像情報から候補者名等を識別し、識別した情報に応じたスタッカに投票用紙を送るように搬送部を制御している。
【先行技術文献】
【特許文献】
【０００３】
【特許文献１】特開２０１０−１２２７４４号公報
【発明の概要】
【発明が解決しようとする課題】
【０００４】
しかしながら、特許文献１の投票用紙集計装置では、スタッカに収納された投票用紙が、スタッカの投票用紙の許容収納枚数又はそれを越える枚数になるまで蓄積された場合、投票用紙集計装置を稼動させている状態でユーザの手によりスタッカから投票用紙を抜き取ろうとしても、次々にスタッカに投入される投票用紙と手とが干渉して、投票用紙の紙詰まり等が発生し、それにより投票用紙集計装置を停止又は故障させてしまうという問題がある。一方、このような問題の発生を防ぐために、複数あるスタッカのうちの１つのスタッカにおける投票用紙の蓄積枚数が許容収納枚数となるごとに、投票用紙の搬送を停止させて投票用紙を抜き取るようなことを行うと、投票用紙の搬送の停止が頻繁に行われるため、投票用紙の分類速度が低下するという問題がある。
【０００５】
この発明はこのような問題点を解決するためになされたもので、投票用紙の分類中における投票用紙の搬送を停止する頻度を低減することにより、投票用紙の分類速度の向上を図る投票用紙分類装置を提供することを目的とする。
【課題を解決するための手段】
【０００６】
この発明に係る投票用紙分類装置は、投票用紙を分類する投票用紙分類装置であって、分類された投票用紙を収納する複数の収納部と、収納部に投票用紙を分類して搬送する搬送手段と、収納部に設けられ、収納部に収納されている投票用紙の数量に関する情報を表示する表示部とを備え、表示部は、収納部に収納されている投票用紙の数量が、収納部に収納可能な投票用紙の数量の上限である第一所定収納数量であることを示す第一表示と、第一所定収納数量より少なく設定された第二所定収納数量以上であることを示す第二表示とを表示可能である。
【０００７】
また、上記投票用紙分類装置は、表示部が第一表示を表示すると、搬送手段を停止させてもよい。
また、上記投票用紙分類装置は、収納部の投票用紙を検知する検知手段をさらに備え、表示部が第一表示を表示することにより搬送手段が停止したとき、検知手段が、第一表示が表示された収納部に投票用紙がないことを検知すると、搬送手段の搬送を再開してもよい。
また、上記投票用紙分類装置では、表示部が第一表示を表示することにより搬送手段が停止したとき、検知手段が、第一表示が表示された収納部に投票用紙がないことを検知することに加え、第二表示が表示された収納部に投票用紙がないことを検知すると、搬送手段の搬送を再開してもよい。
【発明の効果】
【０００８】
この発明の投票用紙分類装置によれば、投票用紙の分類中における投票用紙の搬送を停止する頻度が低減されるため、投票用紙の分類速度の向上を図ることが可能になる。
【図面の簡単な説明】
【０００９】
【図１】この発明の実施の形態に係る投票用紙分類装置の正面図である。
【図２】図１の投票用紙分類装置のスタッカの詳細な構成を示す正面図である。
【図３】図１の投票用紙分類装置の制御装置の構成を示す模式図である。
【発明を実施するための形態】
【００１０】
以下、この発明の実施の形態について、添付図面に基づいて説明する。
実施の形態
まず、図１〜３を用いて、この発明の実施の形態に係る投票用紙分類装置１の構成を説明する。
【００１１】
投票用紙分類装置１は、分類される投票用紙を配置する配置台２と、投票用紙に記載された候補者名を読み取るスキャナ３と、スキャナ３で読み取られた後の投票用紙を収納する２１個のスタッカ１０１〜１２１とを備えている。さらに、投票用紙分類装置１は、配置台２の投票用紙をスキャナ３に搬送する第一搬送装置４ａと、スキャナ３で読み取られた後の投票用紙を候補者名ごとに分類してスタッカ１０１〜１２１のそれぞれに搬送する第二搬送装置４ｂとを備えている。
また、投票用紙分類装置１では、スタッカは、８個単位でスタッカ１０１〜１２１に増設可能となっている。
ここで、スタッカ１０１〜１２１は収納部を構成し、第一搬送装置４ａ及び第二搬送装置４ｂは搬送手段を構成している。
【００１２】
さらに、投票用紙分類装置１は、その内部に制御装置５を備えており、制御装置５は、スキャナ３、第一搬送装置４ａ、第二搬送装置４ｂ及びスタッカ１０１〜１２１と電気的に接続されている（図３参照）。制御装置５は、第一搬送装置４ａの動作を制御して配置台２からスキャナ３へ投票用紙を搬送させ、さらに、スキャナ３から送信される候補者名の情報に基づき第二搬送装置４ｂの動作を制御して、投票用紙をスキャナ３からその投票用紙に記載されている候補者名に対応するスタッカ１０１〜１２１へ搬送させる。
【００１３】
図２を参照すると、スタッカ１０１の詳細な構成が示されている。なお、スタッカ１０２〜１２１も、スタッカ１０１と同様の構成を有している。
スタッカ１０１は、上部が開放した箱状の形状をして投票用紙Ｂを収納可能な本体１０１ａを有しており、本体１０１ａの前面１０１ｂに開口部１０１ｃを有している。このため、スタッカ１０１の本体１０１ａに収納された投票用紙Ｂをその前面１０１ｂから取り出すことができる。なお、本実施の形態では、スタッカ１０１の本体１０１ａに収納可能な投票用紙は、１３０枚であるものとする。ここで、この１３０枚という数量は、スタッカ１０１の第一所定収納数量を構成している。
【００１４】
また、スタッカ１０１の本体１０１ａにおける第二搬送装置４ｂと隣接する側部１０１ｄにはローラ１０１ｅが設けられ、さらに、ローラ１０１ｅのローラ面に対向するようにしてガイド部材１０１ｆが設けられている。そして、第二搬送装置４ｂから送られる投票用紙は、ローラ１０１ｅ及びガイド部材１０１ｆによって案内されて、スタッカ１０１の本体１０１ａの内部に導入される。
【００１５】
また、スタッカ１０１の前面１０１ｂには、表示ランプ２０１が設けられている。表示ランプ２０１には、赤色の光を発光する赤色ＬＥＤ２０２と、緑色の光を発光する緑色ＬＥＤ２０３とが内蔵されている。このため、表示ランプ２０１は、赤色ＬＥＤ２０２のみが点灯すると赤色で点灯し、緑色ＬＥＤ２０３のみが点灯すると緑色で点灯し、赤色ＬＥＤ２０２及び緑色ＬＥＤ２０３の両方が点灯すると橙色で点灯する。さらに、赤色ＬＥＤ２０２及び緑色ＬＥＤ２０３は、制御装置５に電気的に接続されており、制御装置５の制御によってそれぞれが点灯又は消灯する（図３参照）。
ここで、表示ランプ２０１は、表示部を構成している。
【００１６】
また、スタッカ１０１の本体１０１ａは、光学センサ等の検知センサ２０４を有している。検知センサ２０４は、本体１０１ａ内部の底部１０１ｇに設けられた受光センサ２０４ａと、受光センサ２０４ａの上方に設けられた発光デバイス２０４ｂとを有している。なお、スタッカ１０１では、発光デバイス２０４ｂは、上方のスタッカ１０２の下面に取り付けられている。さらに、受光センサ２０４ａ及び発光デバイス２０４ｂは、制御装置５に電気的に接続されており、制御装置５の制御により動作する（図３参照）。
受光センサ２０４ａは、発光デバイス２０４ｂの発生する光を受光しているか又は受光していないかを示す信号を制御装置５に送信する。そして、本体１０１ａの内部に投票用紙がある場合、受光センサ２０４ａは、発光デバイス２０４ｂの光を受光できないため、受光していないことを示す信号を制御装置５に送信し、制御装置５は、本体１０１ａの内部に投票用紙があると判定する。また、本体１０１ａの内部に投票用紙がない場合、受光センサ２０４ａは、発光デバイス２０４ｂの光を受光できるため、受光していることを示す信号を制御装置５に送信し、制御装置５は、本体１０１ａの内部に投票用紙がないと判定する。すなわち、検知センサ２０４は、本体１０１ａの内部の投票用紙を検知していることを示す情報又は検知していないことを示す情報を、制御装置５に送信する。
ここで、検知センサ２０４は、検知手段を構成している。
【００１７】
次に、図１〜３を用いて、この発明の実施の形態に係る投票用紙分類装置１の動作を説明する。
図１を参照すると、スタッカ１０１〜１２１のそれぞれに投票用紙が存在しない状態で、ユーザによって投票用紙分類装置１の配置台２の上に複数の投票用紙が置かれ、投票用紙分類装置１が始動される。このとき、制御装置５は、第一搬送装置４ａ、スキャナ３及び第二搬送装置４ｂを作動させ、さらに、スタッカ１０１〜１２１のそれぞれの検知センサ２０４を作動させる。また、制御装置５は、スタッカ１０１〜１２１のそれぞれの表示ランプ２０１に対して、その内部に投票用紙が存在することを検知センサ２０４が検知している場合に緑色ＬＥＤ２０３（図２参照）を点灯させて緑色の光を発光させる。このため、投票用紙分類装置１の始動直後の投票用紙の分類開始前では、全てのスタッカ１０１〜１２１の表示ランプ２０１は、消灯している。
【００１８】
さらに、第一搬送装置４ａは、配置台２から投票用紙を１枚ずつ繰り出し、スキャナ３に順次搬送する。スキャナ３は、次々に送られてくる投票用紙それぞれの表面を読み取り、読み取った画像を制御装置５に送信する。そして、制御装置５は、受信画像から候補者名を抽出し、スタッカ１０１〜１２１のうちの抽出した候補者名に対応するスタッカへ、受信画像が読み取られた投票用紙を搬送させるように、第二搬送装置４ｂの動作を制御する。なお、制御装置５には、各候補者名に対して１つのスタッカが対応するように予め設定されて記憶されており、例えば、候補者名Ｃ１，Ｃ２，Ｃ３・・・・・・に対応するスタッカとしてスタッカ１０１，１０２，１０３・・・・・・がそれぞれ設定されている。
【００１９】
よって、第二搬送装置４ｂは、制御装置５の制御により、投票用紙をそれに記載されている候補者名に対応する、スタッカ１０１〜１２１の１つに搬送する。このとき、各スタッカ１０１〜１２１に搬送された投票用紙の枚数は制御装置５によりカウントされ、カウントされた枚数は、スタッカの蓄積枚数として制御装置５に記憶される。
【００２０】
第二搬送装置４ｂが投票用紙を分類して搬送することで、スタッカ１０１〜１２１のそれぞれでは、その内部に１枚目の投票用紙が送られると、検知センサ２０４が投票用紙を検知して制御装置５に投票用紙があることを示す情報を送信する。このとき、制御装置５は、表示ランプ２０１に対して緑色ＬＥＤ２０３（図２参照）を点灯させて緑色の光を発光させる。そして、検知センサ２０４が投票用紙を検知している間、制御装置５は、表示ランプ２０１に緑色の光での点灯を継続させる。
【００２１】
第二搬送装置４ｂが投票用紙を次々に分類して搬送することで、スタッカ１０１〜１２１の内部には投票用紙が蓄積されていくが、制御装置５は、例えば、スタッカ１０１における投票用紙の搬送枚数を１００枚とカウントしたとき、スタッカ１０１内の投票用紙の蓄積枚数が１００枚であると判定し、スタッカ１０１の表示ランプ２０１に対して緑色ＬＥＤ２０３（図２参照）に加えて赤色ＬＥＤ２０２（図２参照）を点灯させ、これらを点滅させる。これにより、投票用紙分類装置１は、スタッカ１０１の表示ランプ２０１に橙色の光を点滅させ、そのユーザに対して、スタッカ１０１における投票用紙の蓄積枚数が収納可能な上限枚数（１３０枚）に近いニアフル状態であることを示す。なお、他のスタッカ１０２〜１２１についても、投票用紙の蓄積枚数が１００枚になった場合、表示ランプ２０１が橙色の光で点滅するようになっている。なお、ニアフル状態は、スタッカ１０１における投票用紙の収納可能な枚数の範囲内で自由に設定することができる。
ここで、表示ランプ２０１における橙色光の点滅は、第二表示を構成している。
【００２２】
さらに、スタッカ１０１の表示ランプ２０１が橙色で点滅した状態で第二搬送装置４ｂは投票用紙の分類・搬送を続けるが、制御装置５は、スタッカ１０１の投票用紙の搬送枚数を１３０枚とカウントしたとき、スタッカ１０１内の投票用紙の蓄積枚数が１３０枚であると判定し、スタッカ１０１の表示ランプ２０１の緑色ＬＥＤ２０３（図２参照）を消灯し、赤色ＬＥＤ２０２のみを点滅させ続ける。これにより、投票用紙分類装置１は、スタッカ１０１の表示ランプ２０１に赤色の光を点滅させ、そのユーザに対して、スタッカ１０１における投票用紙の蓄積枚数が収納可能な上限枚数であるフル状態であることを示す。また、同時に、制御装置５は、第一搬送装置４ａ及び第二搬送装置４ｂを停止させ、投票用紙の搬送を停止する。
【００２３】
なお、他のスタッカ１０２〜１２１についても、投票用紙の蓄積枚数が１３０枚になった場合、表示ランプ２０１が赤色の光で点滅するようになっており、表示ランプ２０１の赤色の光の点滅時には、制御装置５が、第一搬送装置４ａ及び第二搬送装置４ｂを停止させる。
ここで、表示ランプ２０１における赤色光の点滅は、第一表示を構成している。
【００２４】
表示ランプ２０１の赤色光の点滅により投票用紙の搬送が停止されたとき、ユーザが、スタッカ１０１からその内部の投票用紙をすべて抜き取ると、スタッカ１０１の検知センサ２０４が、スタッカ１０１の内部に投票用紙がないことを示す情報を制御装置５に送信する。これにより、制御装置５は、スタッカ１０１内の投票用紙の蓄積枚数が０枚であると判定して、蓄積枚数を０枚にリセットし、スタッカ１０１の表示ランプ２０１の赤色ＬＥＤ２０２（図２参照）を消灯する。その後、制御装置５は、第一搬送装置４ａ及び第二搬送装置４ｂを再始動させ、投票用紙の分類・搬送を再開する。そして、制御装置５は、スタッカ１０１内の投票用紙の蓄積枚数の初期値を０枚として、スタッカ１０１における投票用紙の蓄積枚数のカウントを再度開始する。
【００２５】
なお、制御装置５は、スタッカ１０１の検知センサ２０４からスタッカ１０１の内部に投票用紙がないことを示す情報を受信しない限り、すなわち投票用紙が完全に抜き取られない限り、表示ランプ２０１の赤色の点滅光の消灯も、第一搬送装置４ａ及び第二搬送装置４ｂの再始動もしない。
【００２６】
また、制御装置５は、投票用紙の分類・搬送の再開後、スタッカ１０１内に投票用紙が送られると、再び表示ランプ２０１を緑色の光で点灯させ、スタッカ１０１内の投票用紙の蓄積枚数が再び１００枚になると、再び表示ランプ２０１を橙色の光で点滅させ、さらに蓄積枚数が再び１３０枚になると、再び表示ランプ２０１を赤色の光で点滅させると共に、投票用紙の搬送を停止する。
【００２７】
従って、投票用紙分類装置１では、制御装置５は、スタッカ１０１〜１２１のうちのいずれかのスタッカが、表示ランプ２０１に赤色の光を点滅させる状態であるフル状態になると、第一搬送装置４ａ及び第二搬送装置４ｂを停止させて投票用紙の搬送を停止し、そして、投票用紙の搬送の再開後、スタッカ１０１〜１２１のうちのいずれかのスタッカがフル状態になると投票用紙の搬送を再び停止し、これらを繰り返すことによって、投票用紙の分類が行われる。
【００２８】
また、ユーザは、投票用紙の搬送の停止時、スタッカ１０１の他のスタッカ１０２〜１２１のうち、表示ランプ２０１が橙色の光で点滅しているスタッカから、投票用紙を抜き取る。投票用紙の搬送の停止時、例えばスタッカ１０２の表示ランプ２０１が橙色の光で点滅しており、スタッカ１０２の蓄積枚数が１１０枚である場合、ユーザが全ての投票用紙を抜き取ると、制御装置５は、スタッカ１０２内の投票用紙の蓄積枚数が０枚であると判定して、蓄積枚数を０枚にリセットし、スタッカ１０１の表示ランプ２０１の赤色ＬＥＤ２０２及び緑色ＬＥＤ２０３（図２参照）を消灯して橙色の光の点滅を消灯する。そして、投票用紙の搬送が再開されると、制御装置５は、スタッカ１０２内の投票用紙の蓄積枚数の初期値を０枚として、スタッカ１０２における投票用紙の蓄積枚数のカウントを再度開始する。これによって、投票用紙の搬送が停止されるフル状態に近いニアフル状態のスタッカが排除されるため、次に、スタッカ１０１〜１２１のいずれかがフル状態になるまでの時間を多くとることができ、投票用紙の搬送の停止回数が低減される。
【００２９】
このとき、制御装置５は、投票用紙の搬送の停止時、表示ランプ２０１が橙色の光で点滅しているスタッカにおける検知センサ２０４からそのスタッカの内部に投票用紙がないことを示す情報を受信しない限り、すなわち投票用紙が完全に抜き取られない限り、表示ランプ２０１の橙色の点滅光の消灯も、第一搬送装置４ａ及び第二搬送装置４ｂの再始動もしないように制御してもよい。
【００３０】
このように、実施の形態に係る投票用紙分類装置１は、投票用紙を分類する投票用紙分類装置である。さらに、投票用紙分類装置１は、分類された投票用紙を収納する複数のスタッカ１０１〜１２１と、スタッカ１０１〜１２１に投票用紙を分類して搬送する第一搬送装置４ａ及び第二搬送装置４ｂと、スタッカ１０１〜１２１に設けられ、スタッカ１０１〜１２１に収納されている投票用紙の数量に関する情報を表示する表示ランプ２０１とを備えている。表示ランプ２０１は、スタッカ１０１〜１２１に収納されている投票用紙の数量が、スタッカ１０１〜１２１に収納可能な投票用紙の数量の上限である第一所定収納数量であることを示す第一表示である赤色光点滅と、第一所定収納数量より少なく設定された第二所定収納数量以上であることを示す第二表示である橙色光点滅とを表示可能である。
【００３１】
これによって、例えばスタッカ１０１の表示ランプ２０１が赤色光点滅を表示したときに第一搬送装置４ａ及び第二搬送装置４ｂを停止させると、第一所定収納数量である１３０枚となっているスタッカ１０１の投票用紙を確実に抜き取ることができる。さらに、第一搬送装置４ａ及び第二搬送装置４ｂの停止時に、橙色光点滅が表示されている、例えばスタッカ１０２からも投票用紙を抜き取ることによって、第二所定収納数量である１００枚以上の投票用紙が収納されているスタッカ１０２〜１２１が存在しないようにすることができる。このため、投票用紙の抜き取り後、１３０枚の投票用紙を収納するスタッカが発生するまでの時間を増大させることが可能になる。また、投票用紙が抜き取られるスタッカ１０２〜１２１を橙色光点滅が表示されているものに限定することによって、抜き取り作業の時間を低減することが可能になる。従って、投票用紙の分類中において、スタッカ１０１〜１２１から投票用紙を抜き取るために投票用紙の搬送を停止する時間及び停止する頻度を低減し、それにより、投票用紙の分類速度を向上させることが可能になる。
【００３２】
また、投票用紙分類装置１は、表示ランプ２０１が赤色光点滅を表示すると、第一搬送装置４ａ及び第二搬送装置４ｂを停止させる。このとき、投票用紙分類装置１自体が、第一搬送装置４ａ及び第二搬送装置４ｂを停止させることにより、スタッカ１０１〜１２１に第一所定収納数量の１３０枚より多い投票用紙が収納されることを防ぐことができ、それによって、過度に投票用紙が搬送されることによるスタッカ１０１〜１２１内での投票用紙の紙詰まりを防止することができる。
【００３３】
また、投票用紙分類装置１は、スタッカ１０１〜１２１の投票用紙を検知する検知センサ２０４を備えている。さらに、投票用紙分類装置１では、表示ランプ２０１が赤色光点滅を表示することにより第一搬送装置４ａ及び第二搬送装置４ｂが停止したとき、検知センサ２０４が、赤色光点滅が表示された、例えばスタッカ１０１に投票用紙がないことを検知すると、第一搬送装置４ａ及び第二搬送装置４ｂの搬送を再開する。これによって、表示ランプ２０１が赤色光点滅を表示するスタッカ１０１から投票用紙を抜き取る際、抜き取りの途中で投票用紙の搬送が再開されることを防ぐことができる。さらに、スタッカ１０１に投票用紙を残した状態で投票用紙の搬送が再開されないため、スタッカ１０１における投票用紙の蓄積枚数の計測ミスを防止することができる。
【００３４】
また、投票用紙分類装置１では、表示ランプ２０１が赤色光点滅を表示することにより第一搬送装置４ａ及び第二搬送装置４ｂが停止したとき、検知センサ２０４が、赤色光点滅が表示された、例えばスタッカ１０１に投票用紙がないことを検知することに加え、橙色点滅が表示された、例えばスタッカ１０２に投票用紙がないことを検知すると、第一搬送装置４ａ及び第二搬送装置４ｂの搬送を再開することができる。これによって、第一搬送装置４ａ及び第二搬送装置４ｂの停止時、赤色光点滅が表示されて１３０枚の投票用紙を収納するフル状態のスタッカ１０１、及び、橙色光点滅が表示されて１００枚の投票用紙を収納するニアフル状態のスタッカ１０２から、投票用紙が完全に抜き取られない限り、第一搬送装置４ａ及び第二搬送装置４ｂは再始動されない。このため、確実に所定量（１００枚）以上の投票用紙を収納するスタッカを存在しないようにして、スタッカ１０１〜１２１のいずれかがフル状態に至るまでの時間を確保することができるため、第一搬送装置４ａ及び第二搬送装置４ｂの停止頻度を低減することが可能になる。
【００３５】
実施の形態の投票用紙分類装置１では、スタッカ１０１〜１２１のそれぞれに表示ランプ２０１を設けていたが、表示ランプ２０１の代わり、又は、表示ランプ２０１に加えて、蓄積されている投票用紙の枚数を表示する表示部を設けてもよい。
また、実施の形態の投票用紙分類装置１では、第二所定収納数量を、ニアフル状態の数量として１００枚に設定していたが、これに限定されるものでなく、搬送部の停止時間及び停止頻度を低減するように適宜設定することができる。
【００３６】
また、実施の形態の投票用紙分類装置１では、制御装置５がスタッカ１０１〜１２１への投票用紙の搬送枚数をカウントしていたが、これに限定されるものでなく、スタッカ１０１〜１２１のそれぞれに投票用紙の搬送枚数をカウントするセンサを設け、スタッカ１０１〜１２１のそれぞれに収納された投票用紙をカウントするようにしてもよい。
【符号の説明】
【００３７】
１  投票用紙分類装置、４ａ  第一搬送装置（搬送手段）、４ｂ  第二搬送装置（搬送手段）、１０１〜１２１  スタッカ（収納部）、２０１  表示ランプ（表示部）、２０４  検知センサ（検知手段）。
【図１】
2012008956.tif 000003
【図２】
2012008956.tif 000004
【図３】
2012008956.tif 000005